(57)【特許請求の範囲】
【請求項１】
透液性表面シートと裏面シートとの間に吸収体が介在された吸収性物品において、
前記透液性表面シートの少なくとも体液排出部を含む領域に、平面視で、吸収性物品の略長手方向に沿って、吸収性物品幅方向の一方側への突状湾曲部と他方側への突状湾曲部とを交互に繰り返す第１の波状パターンと、この第１の波状パターンを吸収性物品の幅方向に反転させた第２の波状パターンとが吸収性物品の幅方向に離隔して交互に配列されるとともに、前記一方側への突状湾曲部より他方側への突状湾曲部の方が小さな曲率半径となるように形成されている波状パターンのエンボス凹部が設けられ、
前記第１の波状パターンと第２の波状パターンとの間の離隔幅は、吸収性物品の長手方向に幅広部と幅狭部とを交互に繰り返して形成されており、前記幅広部の全部又は一部にドット状のエンボス凹部が設けられていることを特徴とする吸収性物品。
【請求項２】
前記波状パターンのエンボス凹部及びドット状のエンボス凹部は、前記体液排出部を含む領域以外の領域にも形成され、前記体液排出部を含む領域以外の領域では、前記体液排出部を含む領域より、前記ドット状のエンボス凹部のドット径及び／又はドット深さが小さく設定されている請求項１記載の吸収性物品。
【請求項３】
前記波状パターンのエンボス凹部には間欠部が形成され、前記波状パターンが吸収性物品の略長手方向に間欠的に設けられている請求項１、２いずれかに記載の吸収性物品。
【発明の詳細な説明】
【技術分野】
【０００１】
本発明は、経血やおりものなどを吸収するための生理用ナプキン、パンティーライナー、失禁パッド等の吸収性物品に関し、詳しくは透液性表面シートに波状パターン及びドット状パターンの組み合わせからなる凹部を形成した吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
前記透液性表面シートに関しては従来より、経血やおりものなど（以下、まとめて体液という。）を吸収性物品の前後方向に拡散させて吸収性物品の幅方向の漏れ（横漏れ）を防止する、或いは肌への接触面積を低減させることにより湿り感を抑える、風合いやクッション性を高めるなどの目的に応じて、種々の工夫が成されている。たとえば、下記特許文献１においては、表面シートによって長手方向に延びる凹部と凸部が幅方向に向けて交互に形成された吸収性物品が開示されている。
【０００４】
また、下記特許文献２では、着用時に肌と当接する面側に凹凸形状が形成され、前記凹凸形状は、襞寄せされて多数の襞状部が互いに平行に形成された凹凸形成用シートを、各襞状部間において基材シートに線状に接合して形成し、各襞状部の長手方向と生理用ナプキンの長手方向とを同方向とした生理用ナプキンが開示されている。
【先行技術文献】
【特許文献】
【０００５】
【特許文献１】特許第４２０２７３７号
【特許文献２】特許第３６１７６３７号
【発明の概要】
【発明が解決しようとする課題】
【０００６】
しかしながら、上記特許文献１、２に開示されるものはいずれも、表面シートに、吸収性物品の長手方向に沿う直線状の凹部を、吸収性物品の幅方向に複数配列した直線状パターンで形成したものであるため、この直線状パターンの凹部に沿って吸収性物品の前後方向に体液が大きく拡散しすぎる結果、前漏れや後漏れが発生しやすかった。
【０００７】
一方、表面シートが直線状パターンの凹部のみで下層シートに接合されている場合、表面シートの凸部は下層シートから浮いているため、下層シートへの体液移行が行われにくく、体液の表面残りが生じていた。
【０００８】
そこで本発明の主たる課題は、体液の拡散領域を制御し、漏れを防止するとともに、経血やおりものなどの表面残りを軽減することにある。
【課題を解決するための手段】
【０００９】
上記課題を解決するために請求項１に係る本発明として、透液性表面シートと裏面シートとの間に吸収体が介在された吸収性物品において、
前記透液性表面シートの少なくとも体液排出部を含む領域に、平面視で、吸収性物品の略長手方向に沿って、吸収性物品幅方向の一方側への突状湾曲部と他方側への突状湾曲部とを交互に繰り返す第１の波状パターンと、この第１の波状パターンを吸収性物品の幅方向に反転させた第２の波状パターンとが吸収性物品の幅方向に離隔して交互に配列されるとともに、前記一方側への突状湾曲部より他方側への突状湾曲部の方が小さな曲率半径となるように形成されている波状パターンのエンボス凹部が設けられ、
前記第１の波状パターンと第２の波状パターンとの間の離隔幅は、吸収性物品の長手方向に幅広部と幅狭部とを交互に繰り返して形成されており、前記幅広部の全部又は一部にドット状のエンボス凹部が設けられていることを特徴とする吸収性物品が提供される。
【００１０】
上記請求項１記載の発明では、透液性表面シートの少なくとも体液排出部を含む領域に、平面視で、吸収性物品の略長手方向に沿って、吸収性物品幅方向の一方側への突状湾曲部と他方側への突状湾曲部とを交互に繰り返す第１の波状パターンと、この第１の波状パターンを吸収性物品の幅方向に反転させた第２の波状パターンとが吸収性物品の幅方向に交互に配列されるとともに、前記一方側への突状湾曲部より他方側への突状湾曲部の方が小さな曲率半径となるように形成されている波状パターンのエンボス凹部を設けることによって、体液が波状のエンボス凹部に沿って幅方向にジグザグに流れるため、直線状のエンボス凹部を形成した場合より体液が前後方向に拡散しにくくなり、体液の拡散領域を制御して前後からの漏れが防止できるようになる。また、本発明では特に前記波状パターンを、一方側への突状湾曲部より他方側への突状湾曲部の方が小さな曲率半径となるように形成することによって、曲率半径が相対的に小さな突状湾曲部で体液の流れが抑制できるようになるため、より前後方向への体液の拡散領域が制御でき、漏れが防止できるようになる。
【００１１】
本発明では、前記第１の波状パターンと第２の波状パターンとの間には、離隔幅が幅広となる幅広部と幅狭部とが交互に形成されるようになるが、この幅広部の全部又は一部にドット状のエンボス凹部を設けることによって、この幅広部の体液を下層のシート材に移行させやすくし、体液の表面残りが軽減するようにしている。また、ドット状のエンボス凹部を設けることにより、肌への接触面積が低減するため、湿り感が抑えられ、肌トラブルも生じにくくなる。
【００１２】
請求項２に係る本発明として、前記波状パターンのエンボス凹部及びドット状のエンボス凹部は、前記体液排出部を含む領域以外の領域にも形成され、前記体液排出部を含む領域以外の領域では、前記体液排出部を含む領域より、前記ドット状のエンボス凹部のドット径及び／又はドット深さが小さく設定されている請求項１記載の吸収性物品が提供される。
【００１３】
上記請求項２記載の発明では、体液排出部を含む領域以外の領域では、ドット状のエンボス凹部の役割は下層シートへの体液移行というよりも肌への接触面積の低減ということの方が大きいため、この領域において、体液排出部を含む領域より、ドット状エンボスのドット径及び／又はドット深さを小さく設定している。
【００１４】
請求項３に係る本発明として、前記波状パターンのエンボス凹部には間欠部が形成され、前記波状パターンが吸収性物品の略長手方向に間欠的に設けられている請求項１、２いずれかに記載の吸収性物品が提供される。
【００１５】
上記請求項３記載の発明では、波状パターンのエンボス凹部に間欠部を形成し、波状パターンが吸収性物品の略長手方向に間欠的に設けられるようにすることによって、吸収性物品の長手方向の体液拡散をより抑えるように制御することができ、前後の漏れを確実に防止することができる。
【発明の効果】
【００１６】
以上詳説のとおり本発明によれば、体液の拡散領域が制御でき、漏れが防止できるとともに、経血やおりものなどの表面残りが軽減できるようになる。
【図面の簡単な説明】
【００１７】
【図１】本発明に係る生理用ナプキン１の一部破断展開図である。
【図２】(A)は凹部パターンの拡大平面図、(B)は体液排出部を含む領域の断面図、(C)はそれ以外の領域の断面図である。
【図３】他の形態例に係る凹部パターンの平面図である。
【図４】他の形態例に係る凹部パターンの(A)は平面図、(B)は断面図である。
【図５】他の形態例に係る凹部パターンの平面図である。
【図６】波状パターンを示す平面図である。
【図７】エンボスロール装置３０を示す、(A)は側面図、(B)は正面図である。
【発明を実施するための形態】
【００１８】
以下、本発明の実施の形態について図面を参照しながら詳述する。
【００１９】
〔生理用ナプキン１の基本構成〕
本発明に係る生理用ナプキン１は、図１に示されるように、ポリエチレンシート、ポリプロピレンシートなどからなる不透液性裏面シート２と、経血やおりものなどを速やかに透過させる透液性表面シート３と、これら両シート２，３間に介在された綿状パルプまたは合成パルプなどからなる吸収体４と、この吸収体４の形状保持および拡散性向上のために前記吸収体４を囲繞するクレープ紙５と、前記透液性表面シート３の下層側に積層され、前記透液性表面シート３とクレープ紙５との間に介在された親水性不織布からなるセカンドシート６と、表面両側部にそれぞれ長手方向に沿って配設されたサイド不織布７，７とから構成されている。前記吸収体４の周囲において、その上下端縁部では、前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と前記サイド不織布７とがホットメルトなどの接着剤やヒートシール等の接着手段によって接合され、外周に吸収体４の存在しないフラップ部が形成されている。
【００２０】
以下、さらに前記生理用ナプキン１の構造について詳述すると、
前記不透液性裏面シート２は、ポリエチレンやポリプロピレン等のオレフィン系樹脂シートなどの少なくとも遮水性を有するシート材が用いられるが、この他にポリエチレンシート等に不織布を積層したラミネート不織布や、さらには防水フィルムを介在して実質的に不透液性を確保した上で不織布シート（この場合には防水フィルムと不織布とで不透液性裏面シートを構成する。）などを用いることができる。近年はムレ防止の観点から透湿性を有するものが用いられる傾向にある。この遮水・透湿性シート材は、ポリエチレンやポリプロピレン等のオレフィン系樹脂中に無機充填剤を溶融混練してシートを成形した後、一軸または二軸方向に延伸することにより得られる微多孔性シートである。
【００２１】
次いで、前記透液性表面シート３は、有孔または無孔の不織布や多孔性プラスチックシートなどが好適に用いられる。不織布を構成する素材繊維としては、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアスルー法は嵩高でソフトである点で優れている。この透液性表面シート３には、後段で詳述するように、所定の波状パターン及びドット状パターンの組合せからなる凹部が設けられている。
【００２２】
前記不透液性裏面シート２と透液性表面シート３との間に介在される吸収体４は、たとえばフラッフ状パルプと吸水性ポリマーとにより構成されている。前記吸水性ポリマーは吸収体を構成するパルプ中に、例えば粒状粉として混入されている。前記パルプとしては、木材から得られる化学パルプ、溶解パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２３】
また、前記吸収体４には合成繊維を混合しても良い。前記合成繊維は、例えばポリエチレン又はポリプロピレン等のポリオレフィン系、ポリエチレンテレフタレートやポリブチレンテレフタレート等のポリエステル系、ナイロンなどのポリアミド系、及びこれらの共重合体などを使用することができるし、これら２種を混合したものであってもよい。また、融点の高い繊維を芯とし融点の低い繊維を鞘とした芯鞘型繊維やサイドバイサイド型繊維、分割型繊維などの複合繊維も用いることができる。前記合成繊維は、体液に対する親和性を有するように、疎水性繊維の場合には親水化剤によって表面処理したものを用いるのが望ましい。
【００２４】
本例のように、吸収体４を囲繞するクレープ紙５を設ける場合には、結果的に透液性表面シート３と吸収体４との間にクレープ紙５が介在することになり、吸収性に優れる前記クレープ紙５によって体液を速やかに拡散させるとともに、これら経血等の逆戻りを防止するようになる。
【００２５】
前記透液性表面シート３の下層側に積層される親水性不織布からなるセカンドシート６は、たとえばポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。親水性を付与するには、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えることができる。このセカンドシート６は、後段で詳述するように、前記透液性表面シート３と所定の接合パターンで接合されている。
【００２６】
一方、本生理用ナプキン１の表面がわ両側部にはそれぞれ、長手方向に沿ってかつナプキン１のほぼ全長に亘ってサイド不織布７，７が設けられ、このサイド不織布７，７の一部が側方に延在されるとともに、同じく側方に延在された不透液性裏面シート２の一部とによってウイング状フラップＷ、Ｗが形成されている。
【００２７】
前記サイド不織布７としては、重要視する機能の点から撥水処理不織布または親水処理不織布を使用することができる。たとえば、経血やおりもの等が浸透するのを防止する、あるいは肌触り感を高めるなどの機能を重視するならば、シリコン系、パラフィン系、アルキルクロミッククロリド系撥水剤などをコーティングした撥水処理不織布を用いることが望ましい。また、前記ウイング状フラップＷ、Ｗにおける経血等の吸収性を重視するならば、合成繊維の製造過程で親水基を持つ化合物、例えばポリエチレングリコールの酸化生成物などを共存させて重合させる方法や、塩化第２スズのような金属塩で処理し、表面を部分溶解し多孔性とし金属の水酸化物を沈着させる方法等により合成繊維を膨潤または多孔性とし、毛細管現象を応用して親水性を与えた親水処理不織布を用いるようにすることが望ましい。
【００２８】
本生理用ナプキン１では、肌当接面側（透液性表面シート３の表面側）から前記吸収体４に至る深さのエンボス１０〜１３が施されている。体液排出部Ｈの両側にそれぞれ、生理用ナプキン１の略長手方向に沿うとともに、ナプキン長手方向中心線ＣＬ側に曲率中心を有する弧状曲線によってエンボス１０が形成されている。また、このエンボス１０より前側に離間して、生理用ナプキン１の略幅方向に沿うエンボス１１が形成されている。一方、前記エンボス１０より後側に離間して、長手方向中心線ＣＬ上の位置から後側に向けて両側に漸次拡大する略逆Ｖ字形状を有するとともに、その先端部が長手方向中心線ＣＬ側に湾曲するエンボス１２が形成されている。さらに、前記エンボス１１の前側には、生理期間中の陰鬱な気分を紛らわせることなどを目的として、前側に向けて拡大するとともに、その前端部が内側に湾曲するハート形などの形状でエンボス１３が形成されている。
【００２９】
〔透液性表面シート３について〕
本生理用ナプキン１においては、図１及び図２に示されるように、透液性表面シート３の少なくとも体液排出部Ｈを含む領域に、所定の波状パターンのエンボス凹部２０が設けられている。前記波状パターンのエンボス凹部２０は、平面視で、ナプキン１の略長手方向に沿って、ナプキン幅方向の一方側への突状部２１と他方側への突状部２２とを交互に繰り返す第１の波状パターン２３と、この第１の波状パターン２３をナプキン幅方向に反転させた第２の波状パターン２４とをナプキン幅方向に交互に配列して設けてある。
【００３０】
前記体液排出部Ｈを含む領域とは、図１に示されるように、着用者の体液排出部Ｈに対応する領域を含む領域のことであって、図示例では、体液排出部Ｈの両側にそれぞれナプキン長手方向に沿って形成されるエンボス１０、１０によってほぼ囲まれた領域Ｊとしている。なお、図１に示される例では、波状パターンのエンボス凹部２０は、前記体液排出部Ｈを含む領域以外の領域（前記領域Ｊを越えた外側領域）にも設けてある。
【００３１】
前記波状パターンのエンボス凹部２０を設けることによって、体液が波状のエンボス凹部２０に沿って流れるため、エンボス凹部を直線状に形成した場合より、体液の流れが抑制され、体液の拡散しすぎによる前後漏れが防止できるようになる。
【００３２】
図１及び図２に示されるように、前記波状パターンのエンボス凹部２０を設けることによって、第１の波状パターン２３と第２の波状パターン２４との間に、離隔幅が異なる幅広部２５と幅狭部２６とがナプキン長手方向に交互に繰り返して形成されている。
【００３３】
前記波状パターンのエンボス凹部２０の寸法は、図２に示されるように、突状部２１、２１の頂部間隔Ｔ（１周期）を５．０〜７．０mmとし、エンボス幅Ｂ（エンボス凹部２０の底部の幅）を０．５〜１．０mmとし、幅広部２５のナプキン幅方向の幅Ｓ１を４．５〜７．５mmとし、幅狭部２６のナプキン幅方向の幅Ｓ２を２．０〜５．０mmとすることが好ましい。
【００３４】
前記透液性表面シート３は、下層の平面状のセカンドシート６に対し、少なくとも前記波状パターンのエンボス凹部２０の底面との接触面部で熱融着又はホットメルトなどの接着剤により接着され、セカンドシート６と一体化されている（この製造方法については後段で詳述する）。
【００３５】
一方、前記幅広部２５における体液の表面残りを軽減するとともに、肌との接触面積を低減するため、本生理用ナプキン１においては、前記幅広部２５の全部又は一部にドット状のエンボス凹部２７を設けることが好ましい。
【００３６】
前記ドット状のエンボス凹部２７は、図２(B)に示されるように、少なくとも前記体液排出部Ｈを含む領域では、前記波状パターンのエンボス凹部２０とほぼ同等のエンボス深さで形成され、下層のセカンドシート６との接触面部で接合されている。これによって、波状パターンの幅広部２５の体液を下層のセカンドシート６に移行させやすくなり、体液の表面残りが軽減する。また、肌への接触面積が低減するため、湿り感が抑えられ、肌トラブルも生じにくくなる。前記体液排出部Ｈを含む領域では、エンボス凹部２７のドット径（エンボス凹部２７の底部の径）は直径１mm以上で形成することによってセカンドシート６との接合面積を大きくとることが好ましい。
【００３７】
一方、前記体液排出部Ｈを含む領域以外の領域では、前記ドット状のエンボス凹部２７は、上記と同様に下層のセカンドシート６に接合できる深さで形成してもよいが、図２(C)に示されるように、前記体液排出部Ｈを含む領域のエンボス深さより相対的に浅いエンボス深さで形成し、下層のセカンドシート６には接合しないようにしてもよい。この体液排出部Ｈを含む領域以外の領域におけるドット状のエンボス凹部２７の役割は下層のセカンドシート６への体液移行というよりも肌への接触面積の低減ということの方が大きいため、浅いエンボス深さでも構わないことによるものである。この領域のエンボス凹部２７のエンボス深さは、前記波状パターンのエンボス凹部２０の深さと同等か８０％以上の範囲とすることが好ましい。この領域において、ドット状のエンボス凹部２７は、エンボス深さを浅く形成する他、ドット径を前記体液排出部Ｈを含む領域のドット径より小さい直径１mm未満で形成することも可能である。
【００３８】
前記波状パターンのエンボス凹部２０は、図３に示されるように、波状パターンの周期に合わせて周期的な間欠部２８、２８…を形成することにより、波状パターンがナプキンの略長手方向に対し間欠的に設けられるようにすることができる。図３(A)に示される例では、ナプキン幅方向の一方側への突状部２１の頂部に間欠部２８が設けられ、同図３(B)では、ナプキン幅方向の他方側への突状部２２の頂部に間欠部２８が設けられている。前記間欠部２８を設けることによって、ナプキン長手方向の体液拡散をより抑えるように制御することができるため、前後の漏れを確実に防止することができる。ここで、間欠部２８の間欠長さが大きすぎる場合には、波状パターンの連続性が著しく損なわれ、体液がナプキンの前後方向に拡散せず、ナプキン幅方向に拡散するおそれが生じる結果、横漏れを引き起こす可能性がある。従って、波状パターンのある程度の連続性を確保するため、前記間欠部２８のナプキン長手方向の間欠長さは、１mm以内とすることが好ましい。
【００３９】
前記ドット状のエンボス凹部２７は、図１及び図２に示されるように、前記幅広部２５の全部に設けても良いが、この場合エンボスにより表面シートの繊維密度が密になり表面シートの柔軟性が低下する可能性があるため、図４及び図５に示されるように、前記体液排出部Ｈを含む領域以外の領域において、幅広部２５の一部に設けるようにすることができる。図４に示される例では、紙面に向かって左側に第１の波状パターン２３が位置し、右側に第２の波状パターン２４が位置する間において、ナプキン長手方向に沿って１つ置きの幅広部２５にエンボス凹部２７が形成され、紙面に向かって左側に第２の波状パターン２４が位置し、右側に第１の波状パターン２３が位置する間において、幅広部２５の全部にエンボス凹部２７が形成されている。また、図５に示される例では、第１の波状パターン２３と第２の波状パターン２４との間の幅広部２５には、それぞれ２つ置きにエンボス凹部２７が形成され、隣接する両波状パターン２３、２４間同士でエンボス凹部２７が形成される位置をナプキン長手方向にずらすことにより、全体としてエンボス凹部２７が千鳥状に配列されている。
【００４０】
次に、前記波状パターンの形態例について詳しく説明すると、前記波状パターンは、上記形態例で図示されるように、ナプキン幅方向の一方側への突状部２１及び他方側への突状部２２がそれぞれ円弧状に形成された両側円弧状パターン（図６(A)）、ナプキン幅方向の一方側への突状部２１が円弧状とされ、他方側への突状部２２が２つの曲線同士を突き合わせた形状とされた片側円弧状パターン（同図６(B)）、一方側への突状部２１及び他方側への突状部２２がそれぞれ屈折する直線状に形成されたギザ状パターン（同図６(C)）など、ナプキン長手方向線Ｌをナプキン幅方向の両側に周期的に跨ぐような線を種々組み合わせた任意の波状に形成することができる。
【００４１】
また、波状パターンのエンボス凹部２０をナプキン幅方向の一方側へ湾曲する円弧状の突状部２１と他方側へ湾曲する円弧状の突状部２２とが交互に繰り返すパターンとした場合、前記突状部２１、２２は、同じ曲率半径の円弧状としても良いが、図２及び図６(A)に示されるように、突状部２１、２２の曲率半径を異ならせ、一方側への突状部２１より他方側への突状部２２の方が相対的に小さな曲率半径となるように形成することが好ましい。これによって、相対的に小さな曲率半径の突状部２２において体液の流れが抑制されるため、前後方向への体液の拡散領域を制御でき、漏れが防止できるようになる。
【００４２】
〔透液性表面シート３の製造方法〕
前述した透液性表面シート３の製造に当たっては、図７に示されるように、下段側から第１エンボスロール３１と、第２エンボスロール３２と、表面が平滑なアンビルロール３３とを縦方向に並べて配設したエンボスロール装置３０が用いられる。前記第１エンボスロール３１と第２エンボスロール３２とを組とし、透液性表面シートをこれらエンボスロール３１，３２の間を通過させることにより凹凸状のエンボスを付与し、第２エンボスロール３２とアンビルロール３３との間を透液性表面シート３を通過させるとともに、第２エンボスロール３２とアンビルロール３３との間に下層のセカンドシート６を進入させ、透液性表面シート３とセカンドシート６とを重ね合わせるとともに、前記第２エンボスロール３２及びアンビルロール３３の内の少なくとも一方側は所定温度に加熱した状態としておき、前記透液性表面シート３の凹部底面と前記セカンドシート６とを熱融着によって接合する。前記透液性表面シート３とセカンドシート６との接合方法は、ホットメルトなどの接着剤による接合としてもよい。
【符号の説明】
【００４３】
１…生理用ナプキン、２…不透液性裏面シート、３…透液性表面シート、４…吸収体、５…クレープ紙、６…セカンドシート、７…サイド不織布、１０〜１３…エンボス、２０…波状パターンのエンボス凹部、２１…一方側への突状部、２２…他方側への突状部、２３…第１の波状パターン、２４…第２の波状パターン、２５…幅広部、２６…幅狭部、２７…ドット状のエンボス凹部
【図１】
0005924897.tif 000002
【図２】
0005924897.tif 000003
【図３】
0005924897.tif 000004
【図４】
0005924897.tif 000005
【図５】
0005924897.tif 000006
【図６】
0005924897.tif 000007
【図７】
0005924897.tif 000008